(57)【要約】【課題】  建屋壁の貫通穴に設置されている配管の変位を拘束することなく吸収可能であること。【解決手段】  本発明の配管貫通部の仕舞構造は、上記課題を解決するために、建屋壁に形成された貫通孔を配管が貫通している構造であって、前記建屋壁に一端が固定され、他端が前記貫通孔内に伸びて配置されている第１のダムプレートと、該第１のダムプレートと端部が所定の隙間をもって相対向するように配置され、前記配管に固定されている第２のダムプレートと、少なくとも前記隙間を塞ぐように配置されたゴムシートとから成ることを特徴とする。【選択図】図１
2013160261.tif 000002
【特許請求の範囲】
【請求項１】
建屋壁に形成された貫通孔を配管が貫通している構造であって、
前記建屋壁に一端が固定され、他端が前記貫通孔内に伸びて配置されている第１のダムプレートと、該第１のダムプレートと端部が所定の隙間をもって相対向するように配置され、前記配管に固定されている第２のダムプレートと、少なくとも前記隙間を塞ぐように配置されたゴムシートとから成ることを特徴とする配管貫通部の仕舞構造。
【請求項２】
請求項１に記載の配管貫通部の仕舞構造において、
前記ゴムシートは、前記隙間部を塞ぐ部分が他の部分より肉厚になっていることを特徴とする配管貫通部の仕舞構造。
【請求項３】
請求項１又は２に記載の配管貫通部の仕舞構造において、
前記ゴムシートは断面Ｌ字状に形成され、その一端が前記第１のダムプレートに、他端が前記配管にそれぞれ固定されていることを特徴とする配管貫通部の仕舞構造。
【請求項４】
請求項１乃至３のいずれか１項に記載の配管貫通部の仕舞構造において、
前記建屋壁と前記第１のダムプレートとの間及び前記配管と前記第２のダムプレートとの間に、それぞれゴムガスケットが介在されていることを特徴とする配管貫通部の仕舞構造。
【請求項５】
請求項１乃至４のいずれか１項に記載の配管貫通部の仕舞構造において、
前記第１及び第２のダムプレートのそれぞれは、半割り構造になっていることを特徴とする配管貫通部の仕舞構造。
【発明の詳細な説明】
【技術分野】
【０００１】
本発明は配管貫通部の仕舞構造に係り、特に、建屋壁面を貫通する配管の気密、水密、防火或いは放射線遮蔽などのシールド条件を満たすものに好適な配管貫通部の仕舞構造に関するものである。
【背景技術】
【０００２】
一般に、原子力プラント等に設置されている建屋コンクリート壁に貫通孔をあけて配管類を貫通させる際には、境界部を隔てた貫通先の空間に対して、気密、水密、防火或いは放射線遮蔽などのシールド条件を満たすことが要求される。
【０００３】
これらの内、水密条件となる要求がある場合は、貫通孔に埋め込んだ鋼製のスリーブを継足しスリーブで延長し、それにラバーブーツを取り付けるのが一般的である（特許文献１参照）。
【先行技術文献】
【特許文献】
【０００４】
【特許文献１】特開昭６１−１７５３７４号公報
【発明の概要】
【発明が解決しようとする課題】
【０００５】
しかしながら、通常、ラバーブーツは、風雨を防ぐことを目的としており、津波などの高い水圧がかかることは考慮されていない。このため、高い水圧がかかる津波などが来た場合には、その水圧に耐えられず、海水の浸入を防ぎ得ないという問題がある。
【０００６】
また、津波などの高い水圧が負荷されても、海水の浸入を防ぐことだけを考慮すれば、アンカープレートやベローズ継手による完全シール構造が挙げられるが、特に、既設設備への仕舞構造追加の場合には、配管との溶接接合のためのバウンダリー改造や、配管を拘束することで新たに生じる配管系の振動モード変更に伴う発生応力の評価が必要になるなど、検討課題が増加することになる。
【０００７】
以上の既往構造を採用できない課題の対策として、高い圧力でも耐浸入性が向上でき、且つ、配管を過大に拘束しない配管貫通部の仕舞構造が要求されている。
【０００８】
本発明は上述の点に鑑みなされたもので、その目的とするところは、配管変位を拘束することなく吸収可能である配管貫通部の仕舞構造を提供することにある。
【課題を解決するための手段】
【０００９】
本発明の配管貫通部の仕舞構造は、上記目的を達成するために、建屋壁に形成された貫通孔を配管が貫通している構造であって、前記建屋壁に一端が固定され、他端が前記貫通孔内に伸びて配置されている第１のダムプレートと、該第１のダムプレートと端部が所定の隙間をもって相対向するように配置され、前記配管に固定されている第２のダムプレートと、少なくとも前記隙間を塞ぐように配置されたゴムシートとから成ることを特徴とする。
【発明の効果】
【００１０】
本発明によれば、配管変位を拘束することなく吸収可能である配管貫通部の仕舞構造を得ることができる。
【図面の簡単な説明】
【００１１】
【図１】本発明の配管貫通部の仕舞構造の実施例１を示す断面図である。（実施例１）
【図２】図１の左側面図である。（実施例１）
【図３】本発明の配管貫通部の仕舞構造の実施例２を示す断面図である。（実施例２）
【図４】本発明の配管貫通部の仕舞構造の実施例３を示す断面図である。（実施例３）
【図５】図４の左側面図である。（実施例３）
【図６】本発明の配管貫通部の仕舞構造の実施例３における配管変位例を示す断面図である。（実施例３）
【発明を実施するための形態】
【００１２】
以下、図示した実施例に基づいて、本発明の配管貫通部の仕舞構造を説明する。尚、符号は、各実施例において同一部品には同符号を使用する。
【実施例１】
【００１３】
図１及び図２は、本発明の配管貫通部の仕舞構造の実施例１を示すものである。
【００１４】
該図に示す如く、通常、原子力プラント等においては、建屋コンクリート壁９には貫通孔１１が設けられ、この貫通孔１１に配管１０が配置されている。
【００１５】
そして、本実施例では、建屋コンクリート壁９に第１のダムプレートである鋼製ダムプレート１の一端が固定され、この鋼製ダムプレート１の他端が貫通孔１１内に伸びて配置されている。また、該鋼製ダムプレート１の端部と周状に形成されている所定の隙間ｄをもって相対向するように第２のダムプレートである配管側の鋼製ダムプレート２が配置され、更に、隙間ｄを塞ぐように、水密性の機能を得るためのゴムシート３が配置されている。上記鋼製ダムプレート１及び鋼製ダムプレート２は、半割り構造（図２に、符号１２で示す）になっている。
【００１６】
上記ゴムシート３は、断面Ｌ字状に形成され、その一端（長辺側）がゴムシート固定金具４により鋼製ダムプレート１に、他端（短辺側）がゴムシート固定金具５により配管１０にそれぞれ固定されている。
【００１７】
また、ゴムシート３と鋼製ダムプレート１との取付け部は、ゴムシート固定金具４によりシールされ、更に、ゴムシート３と配管１０との取付け部は、ゴムシート固定金具５によりシールされている。
【００１８】
また、鋼製ダムプレート１は、ダムプレート固定用アンカー６にて建屋コンクリート壁９面に取付けられ、ゴムガスケット（図示せず）を介して取り付けることで、シール性能を確保している。配管１０側の鋼製ダムプレート２は、ダムプレート固定用バンド７と一体化して配管１０に固定されている。
【００１９】
このような本実施例の配管貫通部の仕舞構造によれば、建屋の相対変位、地震時変位或いは熱膨張変位等が起こったとしても、間隙ｄが形成され、しかも、その隙間ｄ部分をゴムシート３で塞いでいるため、配管１０は変位を拘束することなく吸収可能である。また、ゴムシート３が半割り構造になっているため、既設設備への仕舞構造追加の場合には、配管１０が据付いた状態で取付け工事を実施することができるため、改造規模（コスト）を抑制でき、取外し工事などの保守作業性も効率的に実施できる。
【実施例２】
【００２０】
図３は、本発明の配管貫通部の仕舞構造の実施例２を示すものである。
【００２１】
該図に示す如く、本実施例の構成は、実施例１と略同一であるが、建屋コンクリート壁９側の鋼製ダムプレート１と配管１０側の鋼製ダムプレート２で形成される間隙ｄ部を塞ぐゴムシート３の肉厚を、他のゴムシート３部分より厚くして耐圧性を高めると共に、配管１０の変位に対する追従性を持たせた点が実施例１とは異なる。
【００２２】
即ち、本実施例のゴムシート３は、周状の隙間ｄを塞ぐように補強ゴム（肉厚部分）が施された形状となっており、耐圧性が高くなると共に、配管１０が変位したことで隙間ｄが広く開いた場合でも、それに追従できるように、肉厚部分が隙間ｄをカバーできる幅を備えているものである。
【００２３】
このような本実施例の構成とすることにより、実施例１と同様な効果が得られることは勿論、隙間ｄ部を塞ぐゴムシート３部分が、他の部分より肉厚になっていることから、耐圧性が高く津波による静水頭圧等の高い圧力に耐えられる水密性が得られる。また、配管１０が変位したことで隙間ｄが広く開いた場合でも、それに追従できるため、地震等で配管１０が変位したとしても水密性が損なわれるという心配がなくなる利点がある。
【実施例３】
【００２４】
図４及び図５は、本発明の配管貫通部の仕舞構造の実施例３を示すものである。
【００２５】
該図に示す如く、本実施例の構成は、実施例２と略同一であるが、建屋コンクリート壁９と鋼製ダムプレート１との間及び配管１０と鋼製ダムプレート２との間に、それぞれゴムガスケット８が介在されている点及びゴムシート３が半割り構造（図５に、符号１３で示す）になっている点が実施例２と異なる。
【００２６】
このような本実施例の構成とすることにより、実施例２と同様な効果が得られることは勿論、建屋コンクリート壁９と鋼製ダムプレート１との間及び配管１０と鋼製ダムプレート２との間に、それぞれゴムガスケット８が介在されていることから、シール性が更に向上する。また、ゴムシート３が半割り構造になっていることから、取外し工事などの保守作業性も効率的に実施できる。
【００２７】
図６に、実施例３における配管１０が変位した場合の例を示す。該図に示す如く、配管１０が変位したことで隙間ｄが広く開いた場合でも、それに追従できるように、ゴムシート３の肉厚部分が隙間ｄをカバーできる幅を備えていることから、配管１０が変位して隙間ｄが広く開いた場合でも、ゴムシート３の肉厚部分が隙間ｄをカバーできるため、地震等で配管１０が変位したとしても水密性が損なわれることが無いことが理解される。
【符号の説明】
【００２８】
１、２…鋼製ダムプレート、３…ゴムシート、４、５…ゴムシート固定金具、６…ダムプレート固定用アンカー、７…ダムプレート固定用バンド、８…ゴムガスケット、９…建屋コンクリート壁、１０…配管、１１…貫通孔、１２…鋼製ダムプレートの半割り構造、１３…ゴムシートの半割り構造。
【図１】
2013160261.tif 000003
【図２】
2013160261.tif 000004
【図３】
2013160261.tif 000005
【図４】
2013160261.tif 000006
【図５】
2013160261.tif 000007
【図６】
2013160261.tif 000008